(57)【要約】【課題】フィルムの装填作業用の空間を形成できるようにして、フィルムの装填が容易に行えるようにする。【解決手段】一対のフィルム１３，１４を供給するフィルム供給部２１と、供給された被包装物１２をフィルム１３，１４で包む被覆包装部２２を有し、被覆包装部２２に、先行する被包装物１２に掛けたフィルム１３，１４を切離すとともに次に供給される被包装物１２の包装のために一対のフィルム１３，１４の先端同士を結合するカットシール部２９が備えられた熱収縮包装機１１において、被覆包装部２２のうちカットシール部２９よりも搬送方向の後段の構成を、後段側架台３６に搭載する。一方、カットシール部２９をフィルム供給部２１と共に前段側架台３５に搭載する。そして後段側架台３６と前段側架台３５を、相対移動によりカットシール部２９の搬送方向の後段側に作業空間３７を形成可能に連結する。【選択図】図３
2019151393.tif 000002
【特許請求の範囲】
【請求項１】
一対のフィルムを供給するフィルム供給部と、供給された被包装物を前記フィルムで包む被覆包装部を有し、前記被覆包装部に、先行する被包装物に掛けた前記フィルムを切離すとともに次に供給される被包装物の包装のために一対の前記フィルムの先端同士を結合するカットシール部が備えられたフィルム包装機であって、
前記被覆包装部のうち前記カットシール部よりも搬送方向の後段の構成が後段側架台に搭載され、
前記カットシール部が、前記フィルム供給部と共に前段側架台に搭載され、
前記後段側架台と前記前段側架台が、相対移動により前記カットシール部の搬送方向の後段側に作業空間を形成可能に備えられた
フィルム包装機。
【請求項２】
前記相対移動の方向が前記搬送方向の前後方向と同じ方向である
請求項１に記載のフィルム包装機。
【請求項３】
前記作業空間が人体の進入を許容する大きさである
請求項１または請求項２に記載のフィルム包装機。
【請求項４】
前記前段側架台と前記後段側架台との間に、前記相対移動のためのアクチュエータが備えられた
請求項１から請求項３のうちいずれか一項に記載のフィルム包装機。
【発明の詳細な説明】
【技術分野】
【０００１】
この発明は、例えば熱収縮包装などのように被包装物をフィルムで被覆するフィルム包装機に関する。
【背景技術】
【０００２】
前述例の熱収縮包装を行うフィルム包装機は、下記特許文献１に開示されているような構成である。
【０００３】
すなわち、特許文献１の図５に見られるように、搬送路の上方と下方に包装フィルムロールが配設され、包装フィルムは搬送路に向けて引き出されている。これら包装フィルムは、先端同士がヒートシールで結合され、ヒートシール部分は搬送路を構成する搬入コンベアと搬送コンベアの間に位置される。このヒートシール部分の搬送コンベア側の位置には、ヒートシールを行うとともに包装フィルムを切断する第１のシールバーが上下動可能に備えられている。そして、搬送コンベアにおけるシールバーよりも搬送方向の後段側には、包装フィルムの両側に対してヒートシールと切断を行う第２のシールバーが搬送方向に沿って備えられ、第２のシールバーよりも後段側には、熱収縮を行うための加熱トンネルが備えられる。
【０００４】
このような構成のフィルム包装機では、搬入コンベアから搬送コンベアに被包装物を押し込むと、被包装物の先端は包装フィルムのヒートシール部分に当たる。更に押し込むことによって、被包装物の上下は包装フィルムで覆われる。このあと第１のシールバーを用いて、被包装物の後端位置で上下の包装フィルムを切断するとともに次の包装のためのヒートシールを行う。包装フィルムで被覆された状態になった被包装物は、後段に送られて両側が第２のシールバーでヒートシールされるとともに余分な部分が切除され、被包装物の四方が閉じられた状態になる。最後に、加熱トンネル内に搬送されると包装フィルムは収縮して、熱収縮包装が完了する。
【０００５】
しかし、フィルム包装機ではフィルム交換などにおけるフィルムの装填作業に手間がかかった。つまり、包装フィルムロールはフィルム置きローラ上に置いたのち、引き出して、複数のローラで構成されるフィルム経路に通し、２枚の包装フィルムの先端同士を第１のシールバーでヒートシールする必要がある。このため、包装フィルムの幅が広いほど、これらの作業は行いにくく、一人で行うことができない場合もあった。
【先行技術文献】
【特許文献】
【０００６】
【特許文献１】特開平８−２８２７３２号公報
【発明の概要】
【発明が解決しようとする課題】
【０００７】
この発明は、フィルムの装填が容易に行えるようにすることを主な目的とする。
【課題を解決するための手段】
【０００８】
そのための手段は、一対のフィルムを供給するフィルム供給部と、供給された被包装物を前記フィルムで包む被覆包装部を有し、前記被覆包装部に、先行する被包装物に掛けた前記フィルムを切離すとともに次に供給される被包装物の包装のために一対の前記フィルムの先端同士を結合するカットシール部が備えられたフィルム包装機であって、前記被覆包装部のうち前記カットシール部よりも搬送方向の後段の構成が後段側架台に搭載され、前記カットシール部が、前記フィルム供給部と共に前段側架台に搭載され、前記後段側架台と前記前段側架台が、相対移動により前記カットシール部の搬送方向の後段側に作業空間を形成可能に備えられたフィルム包装機である。
【０００９】
この構成では、フィルムの装填に際しては、前段側架台と後段側架台のいずれか一方又は双方を、例えば一直線方向や直交方向に相対移動させて、両者を離反又は分離させ、前段側架台のカットシール部の搬送方向の後段側に作業空間を形成する。作業空間はフィルムの装填作業に必要な手や人体が入ることを許容する。
【発明の効果】
【００１０】
この発明によれば、カットシール部の搬送方向の後段側に手や人を入れられるような作業空間をつくることができるので、幅の広いフィルムであっても装填作業を容易に行うことが可能になる。
【図面の簡単な説明】
【００１１】
【図１】熱収縮包装機の概略構造を示す側面図。
【図２】包装工程を示す斜視図。
【図３】作用状態の側面図。
【発明を実施するための形態】
【００１２】
この発明を実施するための一形態を、以下図面を用いて説明する。
【００１３】
図１は、フィルム包装機の一例としての熱収縮包装機１１の概略構造を示す側面図である。この熱収縮包装機１１は、図２に示した工程を経て、被包装物１２の全体を密着するフィルム１３，１４で包むものであり、板状の被包装物１２や積層された板状の被包装物１２、特に幅広の被包装物１２を包装するのに適した例である。熱収縮包装機１１は、大きく分けると、一対のフィルム１３，１４を供給するフィルム供給部２１と、供給された被包装物１２をフィルム１３，１４で包む被覆包装部２２を有している。フィルム１３，１４には熱収縮性の合成樹脂フィルムが用いられる。
【００１４】
フィルム供給部２１は、図１に示したように被包装物１２を搬入する搬入路２３と、搬入路２３の上方と下方に設けられてフィルムロール１３ａ，１４ａを回転可能に載置するロール載置部２４，２５と、フィルムロール１３ａ，１４ａから引き出されたフィルム１３，１４を搬入路２３の後段側に引き出すフィルム経路で構成されている。
【００１５】
搬入路２３は、ローラコンベアで構成された例を示しているが、ベルトコンベアなどの他のコンベアで構成してもよい。ロール載置部２４，２５は、複数のローラ２４ａ，２５ａを配設して構成される。フィルム経路も複数のローラ２６，２７を配設して構成されている。
【００１６】
被覆包装部２２は、供給された被包装物１２を搬送する搬送路２８と、最も上流側、つまり搬送路２８とフィルム供給部２１における搬入路２３との間に設けられたカットシール部２９と、カットシール部２９よりも後段に設けられた両側閉塞部３１と、両側閉塞部３１よりも後段側に設けられた加熱部３２を有している。
【００１７】
搬送路２８は、フィルム供給部２１の搬入路２３から搬送方向に沿って一直線上に形成されており、ベルトコンベア等で構成される。
【００１８】
カットシール部２９は、上下動して接離する一対のシールバー２９ａで構成されている。シールバー２９ａは、離反時において搬送路２８の上方と下方に分かれた状態でフィルム１３，１４の幅方向に延ばして配設されており、上下に重なるフィルム１３，１４を互いに接近して挟むことでフィルム１３，１４を切断すると同時に溶着を行い、上下のフィルム１３，１４の先端同士を一体化するヒートシール部１５を形成するものである。つまりカットシール部２９は、先行する被包装物１２に掛けたフィルム１３，１４を切離すとともに次に供給される被包装物１２の包装のために一対のフィルム１３，１４の先端同士を結合する。
【００１９】
両側閉塞部３１は、前述のカットシール部２９と同様のシールバーなど公知の手段で構成され、上下のフィルム１３，１４の両側の余分な部分を切除すると同時に溶着によりシールしてヒートシール部１６（図２参照）を形成する。加熱部３２も公知の手段で構成されており、搬送路２８の上方に設けられている。加熱部３２は、内部を通過する物を所定の温度に加熱するものである。加熱温度はフィルム１３，１４に合わせて、熱収縮がなされる温度に設定される。
【００２０】
熱収縮包装機１１を構成する前述の各要素は、前段側架台３５と後段側架台３６に分けて搭載される。具体的には、被覆包装部２２のうちカットシール部２９よりも搬送方向の後段の構成要素、つまり搬送路２８と両側閉塞部３１と加熱部３２が後段側架台３６に搭載される。そしてカットシール部２９は、フィルム供給部２１と共に前段側架台３５に搭載される。
【００２１】
前段側架台３５と後段側架台３６は、共に下端部を構成する基台４１，４２と、基台４１，４２の上に設けられて前述の必要な構成要素を備える枠体４３，４４を有しており、相対移動により前記カットシール部２９の搬送方向の後段側に作業空間３７（図３参照）を形成可能に備えられる。相対移動の方向は搬送方向の前後方向と同じ方向である。
【００２２】
具体的には、後段側架台３６の枠体４４は、直方体状に形成されており、内部における上下方向の中間部に搬送路２８が備えられる。枠体４４における前段側架台３５に対向する対向面４４ａは上下方向全体にわたって平らである。基台４２は、枠体４４よりも前段側架台３５の方向、換言すれば搬送路２８の上流方向に向けて延びる延長部４２ａを備えている。延長部４２ａは、左右方向（フィルムの幅方向）の両側において延びる一対の棒状である。
【００２３】
前段側架台３５の基台４１は後段側架台３６の長手方向に沿って延び、下端には、移動を容易にする車輪４５が備えられている。基台４１は、後段側架台３６の基台４２の左右方向の内側に入り、後段側架台３６の長手方向に沿って相対移動可能である。枠体４３は、基台４１の左右方向に延びる門型に形成され、基台４１の長手方向の中間部に立設されている。枠体４３における後段側架台３６に対向する面には、後段側架台３６の対向面４４ａに接する当接面４３ａを有している。当接面４３ａは上下方向の全体にわたって平らである。
【００２４】
枠体４３の上下方向の中間部であって後段側架台３６の搬送路２８と同じ高さに、後段側架台３６と反対側に向けて搬入路２３が突出形成されており、枠体４３の内部にはカットシール部２９が備えられている。枠体４３の後段側架台３６と反対側の面における搬入路２３の上方には、上側のロール載置部２４が突設され、基台４１の上に下側のロール載置部２５が形成されている。
【００２５】
また、前段側架台３５と後段側架台３６との間には、相対移動のためのアクチュエータが備えられている。すなわち、アクチュエータとしてエアシリンダ４６を後段側架台３６の底部に内蔵し、エアシリンダ４６のピストンロッド４６ａの先端を前段側架台３５の基台４１に固定している。
【００２６】
前段側架台３５を移動することによって形成する作業空間３７の大きさは、人体の腕を差し込める大きさなど、適宜設定される。装填されるフィルム１３，１４の幅が例えば６００ｍｍや１０００ｍｍを超えるような幅広の場合には、作業空間３７は人体、すなわちフィルム装填作業員の進入を許容する大きさに設定される。この大きさは、具体的には人体が入り屈んだり腕を動かしたりできる大きさであり、例えば前段側架台３５と後段側架台３６との間に６００ｍｍ程度から８００ｍｍ程度の距離の作業空間３７ができるようにするとよい。
【００２７】
以上のように構成された熱収縮包装機１１において、新規に稼働させたり、幅や種類の異なるフィルム１３，１４と交換したり、フィルム１３，１４を補充したりするためにフィルム１３，１４を装填する場合には、次のように行う。
【００２８】
まず、エアシリンダ４６を駆動して前段側架台３５を後段側架台３６から離れる方向に移動し、図３に示したように前段側架台３５と後段側架台３６との間に作業空間３７を形成する。
【００２９】
つづいて、フィルムロール１３ａ，１４ａをロール載置部２４，２５に載置するとともに、フィルム１３，１４を引き出してフィルム経路に通す。このときに、作業員は作業空間３７に入ると、フィルム１３，１４に対し正対することができる上に、両手を使うことができる。このためフィルム１３，１４の装填が簡易迅速にミスなく行える。
【００３０】
また、前段側架台３５と後段側架台３６との相対移動の方向が搬送方向の前後方向と同じ方向であるので、前段側架台３５と後段側架台３６は一直線上に一定した相対移動が可能である。また前段側架台３５と後段側架台３６は離反した状態でも基台４１，４２同士でつながった状態であり、前段側架台３５の当接面４３ａと後段側架台３６の対向面４４ａは面接触する構成である。このため、移動作業が容易である上に、接離動作を繰り返しても、カットシール部２９と両側閉塞部３１等との位置関係に狂いが生じたりすることなく、一定の稼働状態が得られる。
【００３１】
しかも、前段側架台３５と後段側架台３６との間に相対移動のためのエアシリンダ４６を備えているので、移動作業は容易であるとともに、熱収縮包装機１１の稼働時には前段側架台３５と後段側架台３６の高い一体性が得られる。
【００３２】
以上の構成はこの発明を実施するための一形態の構成であって、この発明は前述の構成のみに限定されるものではなく、その他の構成を採用することもできる。
【００３３】
例えば前段側架台３５又は後段側架台３６は、搬送方向の前後方向に対して直交する方向に移動する構成としてもよい。
【００３４】
また、前段側架台３５と後段側架台３６は離反したときに両者が完全に分離するものとしてもよい。
【００３５】
当接面４３ａと対向面４４ａは、上下方向の全体にわたって面一の平面ではなく、上下方向において互いに噛みあう形状であってもよい。
【符号の説明】
【００３６】
１１…熱収縮包装機
１２…被包装物
１３，１４…フィルム
２１…フィルム供給部
２２…被覆包装部
２９…カットシール部
３５…前段側架台
３６…後段側架台
３７…作業空間
４６…エアシリンダ
【図１】
2019151393.tif 000003
【図２】
2019151393.tif 000004
【図３】
2019151393.tif 000005